【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
水流から発電するためのハイドロタービン発電機であって、
前記装置が、水流に略平行なハブと、少なくとも１つの発電機と、を含むハイドロタービン発電機において、
（ａ）前記ハブに回転可能に取付けられ、前記ハブから半径方向に延在する複数のハイドロフォイルブレードを備えた、少なくとも１つのロータディスクと、
（ｂ）前記ブレードの先端に最も近く、前記ハブから半径方向に延在する複数のガイドベーンによって前記ハブに取付けられたダクトを画定する略円筒形ハウジングと、
によって特徴付けられるハイドロタービン発電機。
【請求項２】
前記ブレードが、対称ハイドロフォイル断面ブレードである請求項１に記載の装置。
【請求項３】
前記ブレードが、前記水流に垂直に配置された２つの平面を有する請求項２に記載の装置。
【請求項４】
第１のロータディスクおよび第２のロータディスクを備え、前記第１のロータディスクが、上流に配設され且つ水流に対して第１の方向に回転し、前記第２のロータディスクが、下流に配設され且つ水流に対して第２の方向に、前記第１のロータディスクに対して逆回転する請求項１に記載の装置。
【請求項５】
前記第１の方向が、水流の方向から反時計回りであり、前記第２の方向が、前記水流の方向から時計回りである請求項４に記載の装置。
【請求項６】
前記第１の方向が、水流の方向から時計回りであり、前記第２の方向が、前記水流の方向から反時計回りである請求項４に記載の装置。
【請求項７】
前記水流の方向が変わると、前記第２のロータディスクが、上流ディスクになり、同じ方向に回転し続け、一方、前記第１のロータディスクが、下流ディスクになり、同じ方向に、前記上流ディスクに対して逆回転し続ける請求項４に記載の装置。
【請求項８】
前記ガイドベーンが、前記ハブの一端または両端に配置されている請求項１に記載の装置。
【請求項９】
前記ガイドベーンが、湾曲し、略矩形であり、前記ハブと前記ダクトの内壁との間に前記ハブから半径方向に延在し、それにより、水流が鋭角で前記ハイドロフォイルブレードに当たり、揚力を生じさせ、したがって、前記ロータディスクを回転させるように、前記湾曲が前記水流の方向を変える請求項１に記載の装置。
【請求項１０】
前記ベーンが、所定位置に固定されている請求項１に記載の装置。
【請求項１１】
前記ベーンが調整可能である請求項１に記載の装置。
【請求項１２】
前記ガイドベーンが、前記ハブおよび前記ダクトに対して回転可能に調整可能である請求項１に記載の装置。
【請求項１３】
前記水流の方向が変わると、前記ガイドベーンの湾曲が逆になり、それにより、前記水流を好ましい角度に向けるように、前記ガイドベーンが回転する請求項７に記載の装置。
【請求項１４】
前記水流の方向が変わると、前記水流を前記上流ロータディスク上に向ける前記ベーンが逆になり、それにより、新しい下流ロータディスクからの前記水流を、前記ハブの軸に平行に向け、かつ、前記タービン発電機からの前記水流を向ける、前記ハブの下流端に配置された前記ベーンが、ここで、前記水流を、前記前の下流ロータディスク上に鋭角に向けるための位置に逆になるように、前記湾曲したガイドベーンが回転する請求項７に記載の装置。
【請求項１５】
前記水流の方向が変わると、前記ダクトの一端から他端にひっくり返されるスカートへの機械的結合の手段によって、前記ベーンが回転する請求項１２、１３、または１４のいずれか一項に記載の装置。
【請求項１６】
前記発電機が、リム発電機である請求項１に記載の装置。
【請求項１７】
前記発電機が、前記ブレードの先端に配置された磁石と、前記ダクトの内壁に配置されたソレノイドとから構成される請求項１に記載の装置。
【請求項１８】
前記発電機が、前記ロータディスクのリムにある永久磁石から構成され、ステータコイルが、前記ダクトの内壁に配置されている請求項１に記載の装置。
【請求項１９】
前記発電機が、デュアルまたはシングルアキシャルフラックス発電機、またはデュアルもしくはシングルラジアルフラックス発電機のうちの１つである請求項１に記載の装置。
【請求項２０】
前記発電機が、周囲水であふれている請求項１に記載の装置。
【請求項２１】
メンテナンスおよび取替えが容易になるように、前記ロータディスクおよび発電機が、モジュラユニットとして取外されるように構成されている請求項１に記載の装置。
【請求項２２】
前記ダクトの外面の中間線の周りに配置され、前記水流の方向に、前記ダクトの１つの開放端を過ぎて延在するリバーシブルスカートをさらに含む請求項１に記載の装置。
【請求項２３】
前記スカートが常に前記ダクトの前記中間線から前記ハイドロタービンの下流端の方に延在するように、前記水流が逆になると、前記スカートが上がり、ひっくり返されるように構成されている請求項２２に記載の装置。
【請求項２４】
前記スカートが、柔軟性材料から構成される請求項２２に記載の装置。
【請求項２５】
前記スカートが、関節式パネルから構成される請求項２２に記載の装置。
【請求項２６】
前記ダクトの開放端の周りに配置されたスクリーンをさらに含み、くずおよび生物が前記スクリーンによってそれるようにした請求項１に記載の装置。
【請求項２７】
前記スクリーンが、金属バーからなる請求項２６に記載の装置。
【請求項２８】
前記バーが、前記ダクト端部から前方に、前記ダクト端部の中心の前の点まで延在する請求項２６に記載の装置。
【請求項２９】
前記スクリーンが、前記水流に対し接線方向に角度をつけられたスラットからなり、くずおよび生物が前記タービンの周りでそれるようにした請求項２６に記載の装置。
【請求項３０】
発電が最適になるように、前記タービン発電機を、水面より上に、および選択された海中の深さに、選択的に下げるか上げるように構成された、少なくとも１つの海中テレスコーピングパイロン上に、少なくとも１つのタービン発電機が取付けられている請求項１に記載の装置。
【請求項３１】
前記ハイドロタービン発電機が、二方向性であり、２つの開放端のいずれからも前記水流を受入れ可能であり、発電することができる請求項１に記載の装置。
【請求項３２】
前記ダクトが、ベンチュリ効果を生じるように、収束する内面を有する請求項１に記載の装置。
【請求項３３】
前記ロータディスクが、同軸であり、互いに逆回転する請求項４に記載の装置。
【請求項３４】
２から１０個のカスケード対の同軸逆回転タービン発電機がある請求項３３に記載の装置。
【請求項３５】
シャフトを含む流体タービンのための装置であって、
（ａ）前記シャフトから半径方向に延在する、複数の回転可能なブレードと、
（ｂ）前記タービンの上流端および下流端の両方で、前記シャフトから半径方向に延在する、複数の調整可能なガイドベーンと、
によって特徴付けられる装置。
【請求項３６】
前記ブレードの先端が最も近いように、前記ブレードの周りに配置されたダクトをさらに含む請求項３５に記載の装置。
【請求項３７】
リム発電手段を含む請求項３５に記載の装置。
【請求項３８】
潮流から発電するための、ハブを有するハイドロタービンにおいて、改良点が、
（ａ）前記ハブの周りに半径方向にかつ回転可能に配置された複数の対称ハイドロフォイルブレードと、
（ｂ）前記ブレードの周りに配置され、少なくとも１つのハブ支持体によって前記ハブに取付けられ、前記タービン発電機が所定の海中の深さで浮くように前記ハブと一体化した浮力手段を含むハウジングと、
によって特徴付けられるハイドロタービン。
【請求項３９】
前記ハブによって画定されるバイパス穴をさらに備え、前記水流は、当該ハブを介して長手方向に流れる請求項１記載の装置。
【請求項４０】
前記シャフトは、海洋生物が前記流体タービンをバイパスするための穴を画定する内面を有する請求項３５記載の装置。
【請求項４１】
前記ハブは、当該ハブ内に、該ハブを通る穴を有する請求項３８記載のハイドロタービン。